(57)【要約】【課題】取付金具が要らず、簡単に迅速に施工することができ、施工費用が安くつく折板屋根の緑化工法および緑化設備を提供する。また、排水性および保水性に優れ、耐久性に優れた、折板屋根の緑化工法および緑化設備を提供する。【解決手段】建物６の桁材７上の折板屋根１の各谷部２の軒先８側に逆台形状の吸出し防止材１１を固着し、吸出し防止材１１の内側と前記折板屋根１の各谷部２とで区画される収容空間Ｓを栽培ポットとみなして、同収容空間Ｓに軽石１２、炭１４、排水性軽量土１６の各材料を順に敷き均して、軽石層１３、炭層１５、排水性軽量土層１７を順に形成し、表層の排水性軽量土層１７に植物１８を植栽する。【選択図】図１
2010029152.tif 000002
【特許請求の範囲】
【請求項１】
建物の折板屋根の各谷部の軒先側に逆台形状の吸出し防止材を固着し、吸出し防止材の内側と前記折板屋根の各谷部とで区画される収容空間を栽培ポットとみなして、同収容空間に軽石、炭、排水性軽量土の各材料を順に敷き均して、軽石層、炭層、排水性軽量土層を順に形成し、表層の排水性軽量土層に植物を植栽してなる、ことを特徴とする折板屋根の緑化工法。
【請求項２】
前記軽石層を形成する軽石の平均粒径が２０ｍｍ〜５０ｍｍであり、前記炭層を形成する炭の平均の角寸又は外径が２０ｍｍ〜５０ｍｍであることを特徴とする、請求項１記載の折板屋根の緑化工法。
【請求項３】
前記排水性軽量土層を形成する排水性軽量土は、比重０．３〜０．８ｋｇ／ｌおよび空隙率３０〜５０％の団粒構造からなることを特徴とする、請求項１または請求項２記載の折板屋根の緑化工法。
【請求項４】
前記吸出し防止材は、天然繊維を主材料とし、目付量３００ｇ／ｍ２〜６００ｇ／ｍ２であることを特徴とする、請求項１ないし請求項３のいずれか一項に記載の折板屋根の緑化工法。
【請求項５】
建物の折板屋根の各谷部の軒先側に逆台形状の吸出し防止材が固着され、吸出し防止材の内側と前記折板屋根の各谷部とで区画される収容空間を栽培ポットとみなして、同収容空間に軽石、炭、排水性軽量土の各材料が順に敷き詰められて、軽石層、炭層、排水性軽量土層が順に形成され、表層の排水性軽量土層に植物が植栽されている、ことを特徴とする折板屋根の緑化設備。
【発明の詳細な説明】
【技術分野】
【０００１】
本発明は、折板屋根に緑化設備を容易に施工できる緑化工法と、同工法により施工された緑化設備に関するものである。
【背景技術】
【０００２】
近年、都市のヒートアイランド現象、温暖化対策、あるいは建物の断熱性向上、景観の向上等を目的として、ビルやマンション等の屋上や家屋等の屋根に設置される緑化設備が普及している。
【０００３】
従来の屋上の緑化設備としては、軽量土を用いる屋上庭園タイプと、薄層の緑化基板を用いる緑化基板タイプ等が知られている。いずれのタイプも植物の根対策のため、屋上の防水層の上に防根シートを敷設しその上に軽量土を敷き均しあるいは緑化基板を敷き並べるようにしている。後者の緑化基板タイプは、屋上庭園タイプに比較し、軽量であること、排水性および保水性に優れること、施工性に優れること等から、近年、注目を浴びている。
【０００４】
後者の緑化基板タイプとしては、セダムなどを植生させた植生マットを用いるもの（特許文献１）や、軽量シラス基盤と芝草類または苔類とを組合わせた緑化軽量シラス基盤（特許文献２）等が知られている。さらに、折板屋根構造において、緑化トレーに植物を植栽し、固定金物で緑化トレーを折板屋根に固定するようにしたもの（特許文献３）等が知られている。
【０００５】
【特許文献１】特開２００３−２２５０１６号公報
【特許文献２】特開２００３−２４５０１２号公報
【特許文献３】特開２００７−３３２７６６号公報
【発明の開示】
【発明が解決しようとする課題】
【０００６】
しかしながら、緑化基板タイプのものは、平らな植生マットや緑化軽量シラス基盤を使用するため、平らな屋上や屋根に対しては直に取付けできるものの、谷部と山部が連続する折板屋根に対しては、そのまま直に取付けできない。折板屋根に対しては、特許文献３に示すように、浅底のトレーに植栽し、同トレーを折板屋根の山部間に縦横に並べて各トレーを取付け金具で折板屋根に取り付けるようにした工法が知られているが、この工法の場合、多数のトレーや取付け金具を用意する必要があり、施工費用が高くつき、また、メンテナンス費用も高くなるという問題があった。
【０００７】
本発明は上記課題に鑑みてなされたもので、取付金具が要らず、簡単に迅速に施工することができ、施工費用が安くつく折板屋根の緑化工法および緑化設備を提供することを目的とする。また、排水性および保水性に優れ、耐久性に優れた、折板屋根の緑化工法および緑化設備を提供することを目的とする。
【課題を解決するための手段】
【０００８】
上記課題を解決するために、本発明に係る請求項１記載の折板屋根の緑化工法は、建物の折板屋根の各谷部の軒先側に逆台形状の吸出し防止材を固着し、吸出し防止材の内側と前記折板屋根の各谷部とで区画される収容空間を栽培ポットとみなして、同収容空間に軽石、炭、排水性軽量土の各材料を順に敷き均して、軽石層、炭層、排水性軽量土層を順に形成し、表層の排水性軽量土層に植物を植栽してなる、ことを特徴とする。
【０００９】
本発明に係る請求項１記載の折板屋根の緑化工法によると、折板屋根の谷部を栽培ポットとして利用することにより、折板屋根の上に簡単にかつ迅速に緑化設備を施工できる。折板屋根の谷部を栽培ポットとして利用し、表層の排水性軽量土層に植物を植栽するから、植栽マット、緑化基板の施工のように専用の取付金具が要らず、施工費用を安くできる。
【００１０】
折板屋根の各谷部の軒先側に逆台形状の吸出し防止材を固着したから、折板屋根の上に降った雨水のうち、排水性軽量土層、炭層、軽石層で保水された以外の余分の雨水は軒先へ向け速やかに排出される。一方、折板屋根の谷部に敷き均された軽石、炭、排水性土壌の各材料は流出が防止される。最下層の軽石層は、空隙が多く保水性に優れ、折板屋根の上に降った雨水の保水性を良好にする。したがって、折板屋根の上に降った雨水が軒先を経て側溝や河川に一気に流れ込むのが防止される。雨水を長期間保水するので、植栽した植物の管理メンテナンスを容易にできる。
【００１１】
また、最下層の軽石層は、排水性軽量土層に植栽した植物の根の先端が下に延びて折板屋根を貫通しその下側へ侵入するのを有効に防ぐ。排水性軽量土層に植栽した植物はその根が下方に成長するが、根の先端は最下層の軽石層の表面にぶつかり側方に曲がるか、軽石の表面の空隙に進入し、そこから内部の空隙に沿って曲進し多くは側方へ向け成長する。
【００１２】
中間層に炭層を形成したので、中間層の炭の作用により表層の排水性軽量土層に降った雨水が清浄化され、雨水が泥水となって谷部から流出される事態が防止される。炭としては、木炭、竹炭等がある。また、中間層の炭層は、炭が酸性を中和させる作用があるので、酸性雨害による金属製の折板屋根の錆・腐食の発生を抑制し、また防止する効果を発揮し、折板屋根の耐久性を向上させる。さらに、炭層と軽石層の二層によって、植物の根が折板屋根１の谷部の底面に進展するのを抑制できる。
【００１３】
表層の排水性軽量土層は、折板屋根の上に降った雨水を保水し、それ以外の雨水を炭層、軽石層、吸出し防止材を介して速やかに排水する。また、普通土に較べて軽量であり、強度の低い既存の建物屋根にも施工できる。また、軽石層、炭層も比較的軽量であるから、全体として緑化設備の軽量化が実現される。排水性軽量土としては、無機質系、有機質系、有機無機混合系の人工軽量土があり、有機質系の人工軽量土としては、例えば、商品名ルーフソイル等が挙げられる。
【００１４】
排水性軽量土層に植栽される植物としては、比較的乾燥に強いセダム系等が用いられる。例えば、メキシコマンネン草、キリン草、ベンケイ草等が用いられる。
【００１５】
本発明に係る請求項２記載の折板屋根の緑化工法は、軽石層を形成する軽石の平均粒径が２０ｍｍ〜５０ｍｍであり、炭層を形成する炭の平均の角寸又は外径が２０ｍｍ〜５０ｍｍであることを特徴とする。折板屋根の谷部は通常１５０ｍｍ程度の高さを有する。平均粒径２０ｍｍ〜５０ｍｍの軽石を混合して軽石層とし、また、平均の角寸又は外径が２０ｍｍ〜５０ｍｍの炭を混合して炭層とすることで、主として軽石層による雨水の保水性の効果、炭層による泥水の流出防止の効果をバランスよく発揮させることができる。
【００１６】
本発明に係る請求項３記載の折板屋根の緑化工法は、前記排水性軽量土層を形成する排水性軽量土が、比重０．３〜０．８ｋｇ／ｌ、空隙率３０〜５０％の、団粒構造からなることを特徴とする。折板屋根に降った雨水の排水性および保水性の両効果を発揮させることができる。
【００１７】
本発明に係る請求項４記載の折板屋根の緑化工法は、前記吸出し防止材が、天然繊維を主材料とし、目付量３００ｇ／ｍ２〜６００ｇ／ｍ２であることを特徴とする。逆台形状に成形しやすく、また、軽量で、折板屋根の谷部にシール状態に容易に固着しやすくなる。
【００１８】
本発明に係る請求項５記載の折板屋根の緑化設備は、建物の折板屋根の各谷部の軒先側に逆台形状の吸出し防止材が固着され、吸出し防止材の内側と前記折板屋根の各谷部とで区画される収容空間を栽培ポットとみなして、同収容空間に軽石、炭、排水性軽量土の各材料が順に敷き詰められて、軽石層、炭層、排水性軽量土層が順に形成され、表層の排水性軽量土層に植物が植栽されていることを特徴とする。
【発明の効果】
【００１９】
以上説明したように、本発明に係る折板屋根の緑化工法によると、折板屋根の谷部を栽培ポットとして利用することにより、折板屋根の上に簡単にかつ迅速に緑化設備を施工でき、従来の植栽マット、緑化基板の施工のように専用の取付金具が要らず、施工費用およびメンテナンス費用を安くできる。軽量であるから、既存建物屋根への施工も容易である。また、保水性に優れ、雨水を長期間保持し、雨水が一気に側溝や河川に流れ込むことを防ぐ一方、植栽した植物の管理メンテナンスを容易にできる。また、降雨による泥水の流出のおそれについては、中間層の炭層による泥水の浄化によって、その流出を防ぐことができる。さらには、中間層の炭層は、炭の中和作用によって、酸性雨害により金属製の折板屋根に発生する錆・腐食を抑制し、防止する効果を発揮し、折板屋根の耐久性を向上させるという効果を奏する。その他、本発明によって、折板屋根の断熱効果・水分の蒸散効果が得られ、建物内の温度の上昇を抑制し、ＣＯ２の吸収といった効果も得られる。
【００２０】
また、本発明の緑化設備によると、上記の各種の効果を奏することができる。
【発明を実施するための最良の形態】
【００２１】
次に本発明の実施形態を図面を参照して説明する。図１は、本発明の緑化工法によって施工された折板屋根の緑化設備を示すもので、同図において、符号１は折板屋根、符号１０は緑化設備を示している。
【００２２】
まず、折板屋根１について説明すると、折板屋根１は、図１に示すように、谷部２を有する金属製の隣接する折板構成材３，３どうしが山部４において、シール状態にボルト５によって接合されて、谷部２および山部４が連続的に形成されている。かかる折板屋根１は、図２に示すように、建物６の桁材７の上に架設された状態で、軒先８に向けて排水用の下り勾配が設けられている。谷部２の高さは通常１５０ｍｍ程度有する。
【００２３】
次に、折板屋根１の緑化設備１０（以下、「緑化設備」と称する）について説明すると、折板屋根１の各谷部２の軒先８側に、予め逆台形状に成形された吸出し防止材１１がシール状態に接着剤で固着されている。吸出し防止材１１は、折板屋根１の上に降った雨水のうち、図２に示す排水性軽量土層１７、木炭層１５、軽石層１３で保水された分以外の余分の雨水を軒先８へ向け速やかに排出する一方、折板屋根１の谷部２に敷き均した軽石１２、木炭１４、排水性軽量土１６の各材料の流出を防止する機能を果たす。かかる吸出し防止材１１は、椰子繊維等の天然繊維を主材料とし、目付量は３００ｇ／ｍ２〜６００ｇ／ｍ２間から選択される。
【００２４】
折板屋根１の各谷部２には、吸出し防止材１１の内側と折板屋根１の各谷部２とで区画される収容空間Ｓを栽培ポットとみなして、同収容空間Ｓに軽石１２、木炭１４、排水性軽量土１６の各材料を順に敷き均して、最下層に軽石層１３、中間層に木炭層１５、表層に排水性軽量土層１７がそれぞれ形成されている。
【００２５】
最下層の軽石層１３は、平均粒径２０ｍｍ〜５０ｍｍの軽石１２を混合して高さ約２０ｍｍ〜５０ｍｍに形成される。軽石１２は、空隙が多く保水性に優れ、軽石層１３全体で折板屋根１の上に降った雨水の保水性を良好にし、高度の保水性により、折板屋根１の上に降った雨水が軒先８を経て建物外の側溝や河川に一気に流れ込むのを防止する。軽石層１３に雨水を長期間保水するので、排水性軽量土層１７に植栽した植物の管理メンテナンスを容易にする。さらに、軽石層１３は、排水性軽量土層１７に植栽した植物１８の根１９の先端が下に延びて折板屋根１を貫通しその下側へ侵入するのを防ぐ。
【００２６】
中間層の木炭層１５は、平均の角寸又は外径が２０ｍｍ〜５０ｍｍの木炭１４を混合して高さ約２０ｍｍ〜５０ｍｍに形成される。最下層の軽石層１３と中間層の木炭層１５とを合わせた高さは約７０ｍｍに調整される。木炭１４は、雨水を浄化させる作用があり、降雨により排水性軽量土層１７から生じる泥水を木炭層１５で浄化し、木炭層１５全体で泥水の流出を防止する。また、木炭層１５は、軽石層１３と同様に、雨水を保水するので、木炭層１５と軽石層１３で雨水の保水作用と泥水の流出防止作用をバランスよく発揮させることができる。
【００２７】
表層の排水性軽量土層１７は、比重０．３〜０．８ｋｇ／ｌ、空隙率３０〜５０％の団粒構造からなる排水性軽量土１６を高さ約８０ｍｍに敷いたもので、排水性および保水性の両方を兼ね備える。排水性軽量土１６としては、無機質系、有機質系、有機無機混合系の人工軽量土があるが、有機質系の人工軽量土としては、例えば、商品名ルーフソイル等が用いられる。
【００２８】
表層の排水性軽量土層１７には、谷部２に沿って植物１８が植栽されている。植物１８としては、比較的乾燥に強いセダム系等が用いられる。例えば、メキシコマンネン草、キリン草、ベンケイ草等が用いられる。
【００２９】
次に、上記緑化設備１０の施工手順を説明すると、まず、折板屋根１の各谷部２の軒先８側に予め逆台形状に成形された吸出し防止材１１を接着剤でシール状態に固着し、次に、図３（Ａ）に示すように、吸出し防止材１１の内側と各谷部２とで区画される収容空間Ｓに平均粒径２０ｍｍ〜５０ｍｍの軽石１２を混ぜて敷き均し最下層の軽石層１３を形成する。次に、図３（Ｂ）に示すように、最下層の軽石層１３の上に、平均の角寸又は外径が２０ｍｍ〜５０ｍｍの木炭１４を混ぜて敷き均し中間層の木炭層１５を形成し、軽石層１３と木炭層１５を合わせた高さを約７０ｍｍとする。そして、図３（Ｃ）に示すように、中間層の木炭層１５の上に、排水性軽量土１６を敷き均し、表層の排水性軽量土層１７を形成し、最後に、表層の排水性軽量土層１７の上に、比較的乾燥に強いセダム系等の植物１８を谷部２に沿って植栽する。図３（Ｄ）は、植物１８を植栽した後、根１９が成長した後の様子を示している。折板屋根１の谷部２に軽石１２、木炭１４、排水性軽量土１６を順次敷き均して、最後に植物１８を植栽するだけでよく、本発明の緑化工法によれば、緑化設備１０の施工が非常に簡単で迅速に行える。
【００３０】
本発明の緑化工法が適用される建物としては、ケアハウス、コンビニエンスストア、ガソリンスタンド、倉庫、工場等が好適であるが、適用される建物はこれらに限定されない。
【００３１】
排水性軽量土層１７の下に木炭層１５、軽石層１３の二層が形成されているので、この二層によって、植物１８の根１９が折板屋根１の谷部２の底面に進展するのを抑制することができ、また、最下層の軽石層１３の軽石１２の作用により、植物１８の根１９が折板屋根１を貫通し、その下側に侵入するのを防ぐことができる。なお、軽石層１３の下に防根シートを敷設し、根１９の進入を二重三重に防ぐようにしてもよい。
【００３２】
かくして、本発明によれば、折板屋根の上に、簡単且つ迅速に緑化設備を施工することができ、また、取付金具が不要で施工コストが安くつく緑化工法を実現できる。また、施工された緑化設備は、排水性および保水性に優れ、植栽した植物の管理メンテナンスも容易である。さらに、防根シートを敷かずとも、最下層の軽石層によって、植栽した植物の根が折板屋根を貫通しその下に侵入するのを防ぐことができる他、中間層の炭層によって、泥水を浄化して泥水の流出を防止し、かつ炭の中和作用により酸性雨害による金属製の折板屋根に発生する錆・腐食を防ぐことができるようになる。
【産業上の利用可能性】
【００３３】
本発明は、取付金具によらずとも、折板屋根の上に、簡単かつ迅速に緑化設備を施工できる緑化工法として、また、施工された緑化設備は排水性および保水性、耐久性に優れたものとして、広く利用可能である。
【図面の簡単な説明】
【００３４】
【図１】本発明の一実施形態を示すもので、本発明の施工により折板屋根の上に形成された緑化設備を示す斜視図、
【図２】図１に示す緑化設備の断面図、
【図３】（Ａ）乃至（Ｄ）は、本発明の施工手順を示す図である。
【符号の説明】
【００３５】
１  折板屋根
２  谷部
３  折板構成材
４  山部
５  ボルト
６  建物
７  桁材
８  軒先
１０  緑化設備
１１  吸出し防止材
１２  軽石
１３  軽石層
１４  木炭
１５  木炭層
１６  排水性軽量土
１７  排水性軽量土層
１８  植物
１９  根
Ｓ  収容空間
【図１】
2010029152.tif 000003
【図２】
2010029152.tif 000004
【図３】
2010029152.tif 000005